【手続補正書】
【提出日】平成22年3月31日(2010.3.31)
【手続補正１】
【補正対象書類名】特許請求の範囲
【補正対象項目名】全文
【補正方法】変更
【補正の内容】
【特許請求の範囲】
【請求項１】
顧客構内（１１０）に位置し、かつ、少なくとも一つの電話線（１０５Ａ−Ｄ）の顧客構内端へのプローブ信号の送信を生じさせるように動作し、かつ、デジタル加入者線モデム、住宅用ゲートウェイおよび前記顧客構内に位置するループテスタ、の少なくとも一つにより実現されるデータアナライザ（１４０Ａ−Ｄ）を備え、
前記データアナライザは、少なくとも前記プローブ信号の測定された反射に基づいて、前記少なくとも一つの電話線の特性を表す少なくとも一つのパラメータを決定し、計算するように動作し、
前記データアナライザは、前記計算された少なくとも一つのパラメータをデジタル加入者線メンテナンスデバイス（１２０）に供給するように動作することを特徴とする、装置。
【請求項２】
前記プローブ信号を送信し、これに応答して前記プローブ信号の前記測定された反射を受信するように動作する回線プローバをさらに備え、
該回線プローバが、前記デジタル加入者線モデム、前記住宅用ゲートウェイおよび前記ループテスタ、のうち少なくとも一つ内に配設され、
前記データアナライザが、顧客のパーソナルコンピュータならびに、前記デジタル加入者線モデム、前記住宅用ゲートウェイおよび前記ループテスタのうち少なくとも一つに動作するように接続されるセットトップボックスのうちの少なくとも一つ内に配設されることを特徴とする、請求項１に記載の装置。
【請求項３】
前記データアナライザが、前記少なくとも一つのパラメータを表示すること、ならびに前記プローブ信号を送信し、これに応答して前記プローブ信号の前記測定された反射を受信するように動作する前記回線プローバ、インターネット接続および一般加入電話網のうちの少なくとも一つを経由して前記メンテナンスデバイスに前記少なくとも一つのパラメータを送信すること、のうち少なくとも一つを実行するように動作する出力デバイスを備えることを特徴とする、請求項１に記載の装置。
【請求項４】
前記プローブ信号を送信し、これに応答して前記プローブ信号の前記測定された反射を受信するように動作する前記回線プローバをさらに含み、
前記回線プローバが、
前記プローブ信号を形成するように動作する送信経路と、
前記プローブ信号の反射を測定するように動作する受信経路と、
前記電話線に前記プローブ信号を接続し、かつ前記少なくとも一つの電話線からの前記プローブ信号の前記反射を前記受信経路に接続するように動作するハイブリッドと、
前記送信経路および前記受信経路を制御するように動作するコントローラと、
前記データアナライザに前記プローブ信号の前記測定された反射を供給するように動作するインタフェースとを備えることを特徴とする、請求項１に記載の装置。
【請求項５】
前記インタフェースが前記データアナライザからプローブデータを受信するように動作し、前記送信経路がプローブデータに基づいて前記プローブ信号を形成するように動作することを特徴とする、請求項４に記載の装置。
【請求項６】
前記送信経路が、前記プローブ信号を複数回送信するように動作し、前記受信経路が対応する複数の反射されたプローブ信号を測定し、かつ前記複数の反射されたプローブ信号を少なくとも合計するように動作することを特徴とする、請求項４に記載の装置。
【請求項７】
前記プローブ信号を送信し、これに応答して前記プローブ信号の前記測定された反射を受信するように動作する前記回線プローバをさらに含み、
前記データアナライザが、デジタル加入者線メンテナンスデバイスと通信するように動作し、
前記デジタル加入者線メンテナンスデバイスが、前記データアナライザから、前記少なくとも一つの電話線の特性を表す前記供給されたパラメータを要求し、これに応答して、前記回線プローバに前記プローブ信号を送信するように命令すること、前記プローブ信号を送信すること、前記反射されたプローブ信号を測定すること、および前記少なくとも一つのパラメータを計算するように命令すること、のうち少なくとも一つを生じさせる、ように動作することを特徴とする、請求項１に記載の装置。
【請求項８】
前記デジタル加入者線メンテナンスデバイスが、前記データアナライザおよび前記回線プローバのうちの少なくとも一つと地理的に分離していることを特徴とする、請求項７に記載の装置。
【請求項９】
第１の回線プローバと、
第２の顧客構内に位置し、かつ前記第１の回線プローバが信号を受信すると同時に、第２の電話線上でプローブ信号を送信するように動作する第２の回線プローバと、
をさらに備え、
前記データアナライザが、前記第１の電話線への前記第２の電話線からのクロストークを計算するように動作することを特徴とする、請求項１に記載の装置。
【請求項１０】
前記データアナライザが、デジタル加入者線メンテナンスデバイスと通信するように動作し、
該ＤＳＬメンテナンスデバイスは、前記データアナライザから前記少なくとも一つの電話線の特性を表す前記計算された少なくとも一つのパラメータを要求し、これに応答して、前記第１の回線プローバに前記プローブ信号を送信するように命令すること、前記第２の回線プローバを前記プローブ信号を受信するように構成すること、前記プローブ信号を送信し、前記プローブ信号の前記反射を受信し、前記プローブ信号の前記反射を測定すること、前記クロストークを計算すること、かつ前記少なくとも一つのパラメータを計算すること、のうち少なくとも一つを生じさせる、ように動作することを特徴とする、請求項９に記載の装置。
【請求項１１】
前記計算されたパラメータが、第１の計算されたパラメータであり、前記装置が、さらに、
前記顧客構内に位置し、かつ前記データアナライザに動作するように接続される回線プローバ、を備え、
前記データアナライザが、前記回線プローバに第２の電話線にプローブ信号を送信し、かつ前記第２の電話線からの前記プローブ信号の測定された反射に基づいて、前記第２の電話線の特性を表す第２のパラメータを計算する、ように命令するように動作し、そして、
前記データアナライザが、前記回線プローバが前記それぞれのプローブ信号を送信し、かつ前記プローブ信号の前記それぞれの反射を測定するために、前記第１の電話線と前記第２の電話線との間を選択するように動作することを特徴とする、請求項１に記載の装置。
【請求項１２】
前記データアナライザが、デジタル加入者線メンテナンスデバイスから、前記第１の電話線と前記第２の電話線との間を選択する命令を受信するように動作することを特徴とする、請求項１１に記載の装置。
【請求項１３】
第１の顧客構内（１１０）に位置する第１の回線プローバに、回線試験プローブ信号を第１の電話線（１０５Ａ−Ｄ）の顧客構内端に送信するように命令するステップと、
第２の顧客構内に位置する第２の回線プローバに、第２の電話線の顧客構内端を介して受信される信号を少なくとも測定するように命令するステップと、
前記測定された信号に基づいて前記第２の電話線への前記第１の電話線からの近端クロストークを特徴づけるステップとを含む、方法。
【請求項１４】
さらに、前記測定された信号に基づいて前記第２の電話線への前記第１の電話線からの遠端クロストークを特徴づけるステップを含む、請求項１３に記載の方法。
【請求項１５】
デジタル加入者線モデム、住宅用ゲートウェイおよび前記顧客構内に位置するループテスタ、のうち少なくとも一つにより実現される、顧客構内（１１０）におけるデータアナライザに、少なくとも一つの電話線（１０５Ａ−Ｄ）の顧客構内端にプローブ信号を送信させるステップと、
少なくとも前記プローブ信号の測定された反射に基づいて、前記少なくとも一つの電話線の特性を表す少なくとも一つのパラメータを計算するステップと、
前記計算された少なくとも一つのパラメータをデジタル加入者線メンテナンスデバイス（１２０）に供給するステップとを含む、方法。
【請求項１６】
さらに、前記電話線が、デジタル加入者線信号を送信するのに用いられていることを判定するステップと、
前記少なくとも一つのパラメータを測定する前に前記デジタル加入者線信号の送信を止めるコマンドを送信するステップとを含む、請求項１５に記載の方法。
【請求項１７】
さらに、地理的に分離したデバイスから前記少なくとも一つの計算されたパラメータに対するリクエストを受信するステップと、
前記少なくとも一つの計算されたパラメータを前記地理的に分離したデバイスに送信するステップとを含む、請求項１５に記載の方法。
【請求項１８】
さらに、ループ診断モードのモデムにより、前記回線プローバに、前記プローブ信号を送信させるステップを含み、
前記ループ診断モードのモデムは、前記少なくとも一つの電話線の前記特性を表す前記少なくとも一つのパラメータを計算させることを生じさせること特徴とする、請求項１５に記載の方法。